(57)【要約】      （修正有）【課題】低コストで、おもちゃに応用できる液晶ディスプレイを提供する。【解決手段】低コストの液晶ディスプレイであって、筐体１および筐体１に埋め込まれた透明液晶スクリーン２を含み、透明液晶スクリーン２の後方の入光側には光照射モジュール３が設けられており、透明液晶スクリーン２は透過型可視スクリーンである。透明液晶スクリーン２の正面には透明円形カバー板６が設けられており、筐体１の内側の壁と透明液晶スクリーン２との間に弾性クッション５が設けられており、筐体１の後方には封止後カバーが設けられている。【選択図】図１
0003226999.tif 000002
【実用新案登録請求の範囲】
【請求項１】
低コストの特殊用途の液晶ディスプレイであって、筐体１および筐体１に埋め込まれた透
明液晶スクリーン２を含み、前記透明液晶スクリーン２の後方の入光側には光照射モジュ
ール３が設けられており、前記透明液晶スクリーン２は透過型可視スクリーンである、こ
とを特徴とする低コストの特殊用途の液晶ディスプレイ。
【請求項２】
透明液晶スクリーン２の正面には透明円形カバー板６が設けられており、前記筐体１の内
側の壁と前記透明液晶スクリーン２との間に弾性クッション５が設けられており、前記筐
体１の後方には封止後カバー７が設けられている、ことを特徴とする請求項１に記載の低
コストの特殊用途の液晶ディスプレイ。
【請求項３】
前記透明液晶スクリーン２の正面には、鏡面スクリーン４が設けられており、前記鏡面ス
クリーン４の透明液晶スクリーン２に対して反対側の離れた面は観察面であり、前記鏡面
スクリーン４の透明液晶ディスプレイに対向する近い面は半反射面である、ことを特徴と
する請求項１に記載の低コストの特殊用途の液晶ディスプレイ。
【請求項４】
前記透明液晶スクリーン２には、筐体１に対して正面に透明保護層８が設けられている、
ことを特徴とする請求項１に記載の低コストの特殊用途の液晶ディスプレイ。
【請求項５】
透明保護層８は、傷防止保護膜である、ことを特徴とする請求項４に記載の低コストの特
殊用途の液晶ディスプレイ。
【考案の詳細な説明】
【技術分野】
【０００１】
本考案は、液晶ディスプレイの技術に関し、特に低コストの特殊用途の液晶ディスプレイ
に関する。
【従来技術】
【０００２】
現在のおもちゃおよび低コストの製品において、透明の液晶ディスプレイ、円形の液晶デ
ィスプレイ、鏡面ディスプレイの設計は比較的珍しい。現在の市場では、透明ディスプレ
イ、円形ディスプレイ、鏡面ディスプレイは、規格制限のために、価格があまりにも高い
ため、低コストのおもちゃの上で応用することが困難である。
【０００３】
玩具に応用できる新型の液晶ディスプレイが必要であり、面白さや遊び方が多様で、これ
らの問題を解決できる新型の液晶ディスプレイが必要である。
【考案の概要】
【０００４】
本実用新案は、低コストの特殊用途の液晶ディスプレイを提供し、既存の設備を技術改造
することにより、既存の液晶ディスプレイがおもちゃなどの低付加価値業界における応用
に限界があるという問題を解決した。
【０００５】
上記の技術問題を解決するために、本考案は具体的に下記のの技術方案を採用する。
【０００６】
低コストの特殊用途の液晶ディスプレイは、筐体および筐体に埋め込まれた透明液晶ディ
スプレイを含み、前記透明液晶ディスプレイの後方の入光側には光照射モジュールが設け
られており、前記透明液晶ディスプレイは透過型可視スクリーンである。
【０００７】
好ましくは、前記透明液晶ディスプレイは、透明液晶ディスプレイの正面に透明円形カバ
ーが設けられており、前記筐体の内側の壁と前記透明液晶ディスプレイとの間に弾性クッ
ションが設けられており、前記筐体の後方には封止後カバーが設けられている。
【０００８】
好ましくは、前記透明液晶ディスプレイの正面には、さらに鏡面スクリーンが設けられ、
透明液晶ディスプレイから離れる面を観察面とすることができる。前記鏡面スクリーンの
透明液晶ディスプレイに近い面は半反射面である。
【０００９】
既存の技術に対して、本考案は以下のような有益な効果を有する。
１）本実施形態では、透明液晶ディスプレイを用いて、映像を表示するとともに、ディス
プレイを通じて後方の実物の状況を見ることができ、鑑賞感や遊び方を豊かにする。
２）本実用新案は、液晶ディスプレイの前に円形カバー板を設置し、円形の液晶表示効果
を実現し、異なる規格の外形を必要とする玩具に応用し、玩具業界を拡大することができ
る。
３）本実施形態では、液晶ディスプレイの前面に鏡面スクリーンが設けられ、液晶ディス
プレイを使用しない場合、正面から見て鏡面として使用することができる。
４）本実施形態では、ユーザの実際の必要に応じて、透明液晶ディスプレイを自由に組み
合わせることができ、又は円形の液晶表示効果を実現し、又は鏡面液晶ディスプレイに組
み合わせることができる。
【図面の簡単な説明】
【００１０】
【図１】本考案の透過型可視スクリーンの概略図である。
【図２】本実用新案の円形液晶ディスプレイを採用した正面図である。
【図３】本考案の円形液晶ディスプレイの側面の断面図である。
【図４】本実用新案の複合鏡面スクリーンの断面図である。［符号の説明］
【００１１】
筐体  １、透明液晶ディスプレイ  ２、光照射モジュール  ３、鏡面スクリーン  ４、弾
性クッション  ５、円形カバー板  ６、封止後カバー  ７、透明保護層  ８
【考案を実施するための形態】
【００１２】
以下、本実用新案の具体的な内容を図面及び実施形態に基づき詳細に説明する。
図１〜図４に示すように、本実施形態は、筐体１および筐体１に埋め込まれた透明液晶ス
クリーン２を含む低コストの特殊用途の液晶ディスプレイを提供し、前記透明液晶スクリ
ーン２の後方の入光側には光照射モジュール３が設けられており、前記透明液晶スクリー
ン２は透過型可視スクリーンである。本実施形態は、通常の液晶ディスプレイに対して改
造を施し、一部の筐体やコンポーネントを除去または交換でき、本実施形態の筐体に装着
することにより透過型液晶ディスプレイ表示効果を実現することができる。本実施形態で
は、透明液晶スクリーン２以外のコンポーネントは必要に応じて増減することができる。
【００１３】
さらに、前記透明液晶スクリーン２は、透明液晶スクリーン２の正面に透明円形カバー板
６が設けられており、前記筐体１の内側の壁（内空洞の壁）と前記透明液晶スクリーン２
との間に弾性クッション５が設けられており、前記筐体１の後方には封止後カバー７が設
けられている。おもちゃの落下によるディスプレイの損傷を防ぐため、この弾性クッショ
ン５はさらに透明液晶スクリーン２の設置をより安定させることができる。
【００１４】
さらに、前記透明液晶スクリーン２の正面には、さらに鏡面スクリーン４が設けられ、透
明液晶スクリーン２に対して反対側の離れた面は観察面である。前記鏡面スクリーンの透
明液晶ディスプレイ２に対向する近い面は半反射面である。
【００１５】
さらに、前記透明液晶スクリーン２は、筐体１に対して正面に透明保護層８が設けられて
いる。
【００１６】
さらに、透明保護層８は、傷防止保護膜である。
【００１７】
円形カバー板６と封止後カバー７は、いずれも取り外し可能な接続方式を採用しており、
客の異なる使用ニーズを満たすことができ、より広い適用性を有しています。
【００１８】
本実施形態では、透明液晶ディスプレイを用いて、映像を表示するとともに、ディスプレ
イを通じて後方の実物の状況を見ることができ、鑑賞感や遊び方を豊かにする。
【００１９】
本実用新案は、液晶ディスプレイの前に円形カバー板を設置し、円形の液晶表示効果を実
現し、異なる規格の外形を必要とする玩具に応用し、玩具業界を拡大することができる。
本実施形態では、液晶ディスプレイの前面に鏡面スクリーンが設けられ、液晶ディスプレ
イを使用しない場合、正面から見て鏡面として使用することができる。
【００２０】
本実施形態では、ユーザの実際の必要に応じて、透明液晶ディスプレイを自由に組み合わ
せることができ、又は円形の液晶表示効果を実現し、又は鏡面液晶ディスプレイに組み合
わせることができる。
【００２１】
最後に説明すべきなのは、上記の実施形態は、本考案を説明するためだけに使用し、本考
案の趣旨と範囲を逸脱することなく、本考案を修正または同等に置き換えることができる
ものは、本実用新案の請求の範囲に含まれるべきであると当業者は理解すべきである。。
【００２２】
本発明で使用された標準部品はいずれも市場上から購入できる。異形の部品は説明書と図
面の記載によってカスタマイズできる。各部品の具体的な接続方式は全て、従来技術で成
熟したボルト、リベットを採用する。溶接などの一般的な手段は、機械、部品と設備はす
べて従来技術の中の型番を採用する。加えて、回路接続は従来技術の中の一般的な接続方
式を採用する。ここでは詳しく説明しない。
【００２３】
本発明の説明では、特定の規定と限定がない限り、用語「設置」、「接続」、「固定」は
広義的に理解されなければならない。例えば、固定接続であってもよいし、取り外し可能
接続であってもよいし、または一体としてもよい。機械的接続であっても良いし、電気的
接続であっても良い。直接的に接続しても良いし、中間に媒体があるような形で接続して
も良いし、２つの素子の内部の連結または２つの素子の相互作用関係によるものであって
もよい。当業者にとって、上記の用語の本発明における具体的な意味は、具体的には本考
案の具体的意義に基づいて理解され得る。
【図１】
0003226999.tif 000003
【図２】
0003226999.tif 000004
【図３】
0003226999.tif 000005
【図４】
0003226999.tif 000006